(57)【要約】【課題】着用者の腰を容易にサポートすることが可能な妊産婦用下半身衣類を提供すること。【解決手段】妊産婦用下半身衣類１は、本体部１０と本体部の上端に設けられ環状に形成されるウエスト部２０とを備える。また、妊産婦用下半身衣類１は、本体部１０の前側において腹サポート部１３と腰サポート部１６とを備える。腹サポート部１３は、ウエスト部２０よりも下側に設けられる。腰サポート部１６は、腹サポート部１３の左端部から妊産婦用下半身衣類１の後ろ側を通って腹サポート部１３の右端部まで一体的に設けられる。腹サポート部１３はその周部分において本体部１０に固定される。腰サポート部１６は、前身頃と後身頃との境界付近では本体部１０に固定されておらず、腹サポート部１３の左右両端部と本体部１０の後ろ中心とで本体部１０に固定される。【選択図】図２
0003220599.tif 000002
【実用新案登録請求の範囲】
【請求項１】
本体部と、
前記本体部の上端に設けられ環状に形成されるウエスト部と、を備える妊産婦用下半身衣類であって、
前記本体部の前側において、前記ウエスト部よりも下側に設けられる第１サポート部と、
前記第１サポート部の左端部から前記妊産婦用下半身衣類の後ろ側を通って前記第１サポート部の右端部まで一体的に設けられる第２サポート部と、を備え、
前記第１サポート部は、
当該第１サポート部の少なくとも周部分において前記本体部に固定され、
前記第２サポート部は、
前記妊産婦用下半身衣類の横側では前記本体部に固定されておらず、前記第１サポート部の左右両端部と前記本体部の後ろ中心とで前記本体部に固定される、妊産婦用下半身衣類。
【考案の詳細な説明】
【技術分野】
【０００１】
本考案は、サポート部を備える妊産婦用下半身衣類に関する。
【背景技術】
【０００２】
従来、本体部と帯状に形成された骨盤ベルト部とを備える妊婦用下半身衣類が存在する（例えば特許文献１参照）。この妊婦用下半身衣類においては、骨盤ベルト部は本体部に一端が固定された。着用者は、本体部を装着してから骨盤ベルト部を骨盤周りに巻いて他端を本体部に固定した。
【先行技術文献】
【特許文献】
【０００３】
【特許文献１】特開２０１４−１６３０１４号公報
【考案の概要】
【考案が解決しようとする課題】
【０００４】
しかしながら、上述した従来の妊婦用下半身衣類を着用するには毎回骨盤ベルト部を調節する必要があり手間がかかった。
【０００５】
本考案の目的は、着用者の腰を容易にサポートすることが可能な妊産婦用下半身衣類を提供することである。
【課題を解決するための手段】
【０００６】
本考案は、上記の課題を解決するために以下の構成を採用した。
本考案の妊産婦用下半身衣類は、本体部と、前記本体部の上端に設けられ環状に形成されるウエスト部と、を備える妊産婦用下半身衣類であって、前記本体部の前側において、前記ウエスト部よりも下側に設けられる第１サポート部と、前記第１サポート部の左端部から前記妊産婦用下半身衣類の後ろ側を通って前記第１サポート部の右端部まで一体的に設けられる第２サポート部と、を備え、前記第１サポート部は、当該第１サポート部の少なくとも周部分において前記本体部に固定され、前記第２サポート部は、前記妊産婦用下半身衣類の横側では前記本体部に固定されておらず、前記第１サポート部の左右両端部と前記本体部の後ろ中心とで前記本体部に固定される。
上記構成によれば、第２サポート部は一体的に設けられている。また、第２サポート部は、第１サポート部の左右両端部と本体部の後ろ中心とで本体部に固定される。これにより、従来のように骨盤ベルト部を調整しなくても容易に腰をサポートすることが可能である。さらに、第２サポート部の全面が本体部に固定されている構成と比べて、第２サポート部の位置の自由度を大きくできる。しかも、第１サポート部は、少なくともその周部分において本体部に固定される。このため、第２サポート部が本体部に固定されていない部分（具体的には妊産婦用下半身衣類の横側）を着用者が引っ張っても、第１サポート部が本体部からずり上がることを防止することが可能である。
【考案の効果】
【０００７】
本考案によれば、着用者の腰を容易にサポートすることが可能な妊産婦用下半身衣類を提供できる。
【図面の簡単な説明】
【０００８】
【図１】本実施形態の妊産婦用下半身衣類１の着用状態を正面および後ろから見た図
【図２】本実施形態の妊産婦用下半身衣類１の着用状態を右斜め前から見た図
【考案を実施するための形態】
【０００９】
以下、図面を参照しながら一実施形態の妊産婦用下半身衣類１について説明する。図１は、本実施形態の妊産婦用下半身衣類１の着用状態を正面および後ろから見た図である。図２は、本実施形態の妊産婦用下半身衣類１の着用状態を右斜め前から見た図である。なお、本実施形態では妊産婦用下半身衣類１は左右方向に関して中央よりも左側と右側とが同じ構成である。このため、図１では、図を簡単にするために、左右で共通する構成については参照符号を左右のうちの一方に付している。
【００１０】
図１に例示するように、本実施形態の妊産婦用下半身衣類１は、妊産婦が肌着として下半身に着用するショーツである。妊産婦用下半身衣類１は、大きく膨らんだ腹部に柔らかくフィットする伸縮性の高い生地（例えばベア天竺）で構成される。図１（Ａ）に例示するように、本実施形態の妊産婦用下半身衣類１は、本体部１０と、本体部の上端に設けられるウエスト部２０とを有する。本実施形態では、着用時においてウエスト部２０が着用者の腸骨の上端付近に位置する。
【００１１】
図１（Ａ）に例示するように、本体部１０は、前保護部１１と脇保護部１５と腰サポート部１６とクロッチ部１７と開口部１８とを備える。前保護部１１は、着用者の腹部の前側を保温および保護し、下腹を支持することが可能な部分である。本実施形態では、前保護部１１は、「妊産婦用下半身衣類１の前側」において本体部１０の上端から下に向かって設けられる。なお、「妊産婦用下半身衣類１の前側」は、妊産婦用下半身衣類１の前後方向に関して中央よりも正面側（すなわち、前身頃と後身頃との境界よりも前側）を意味する。
【００１２】
図１（Ａ）に例示するように、本実施形態において前保護部１１は、上前保護部１２と腹サポート部１３と下前保護部１４とを備える。上前保護部１２は、前保護部１１のうちの上の部分である。下前保護部１４は、前保護部１１のうちの下の部分である。腹サポート部１３は、上前保護部１２と下前保護部１４との間にある。すなわち、腹サポート部１３は、本体部１０の前側においてウエスト部２０よりも下側に設けられる。なお、下前保護部１４の下には、クロッチ部１７と着用者の左右の太ももそれぞれを囲む２つの開口部１８とがそれぞれ接続される。クロッチ部１７は、前身頃から後身頃にわたるように着用者のまたに接する位置に設けられる部分である。
【００１３】
本実施形態では、上述したように上前保護部１２と下前保護部１４とは伸縮性の高い柔らかい生地で構成される。一方、腹サポート部１３には、当該生地に対して伸縮性は高いものの伸ばすには当該生地に比べて大きな力がいる生地（本実施形態ではパワーネット）が全面に表打ち（裏打ちでもよい）される。したがって、本実施形態では同じ力がかかった場合、上前保護部１２（及び下前保護部１４）よりも腹サポート部１３の方が伸びにくい。また、腹サポート部１３の方が上前保護部１２よりも伸びた場合に戻るときの力が強い。これにより、腹サポート部１３で着用者の下腹部を支持することが可能である。
【００１４】
本実施形態では、腹サポート部１３は、その周部分において本体部１０に固定される。具体的には、腹サポート部１３は、上前保護部１２の下端部（すなわち辺ＡＣ）と下前保護部１４の上端部（すなわち辺ＤＢ）と腰サポート部１６の左右両端部（すなわち辺ＣＤ及び辺ＢＡ）との境界部分において本体部１０に固定される。これにより、腹サポート部１３を着用者の下腹部に対応する位置に固定することが可能である。
【００１５】
図１（Ａ）に例示するように、本実施形態では、腹サポート部１３は、前保護部１１の上端よりも下側から、下端よりも上側までの間に設けられる。本実施形態においては上前保護部１２と腹サポート部１３との境界は、上前保護部１２に対して腹サポート部１３が凹むように形成される。また、腹サポート部１３と下前保護部１４との境界は、腹サポート部１３に対して下前保護部１４が凹むように形成される。図１（Ａ）は上記２つの境界が何れも円弧状である場合を例示する。なお、上記２つの境界はどのような形状でもよく、例えば、略Ｖ字状でもよいし波状でもよいし真っ直ぐでもよい。
【００１６】
図１（Ａ）に例示するように、本実施形態では、腹サポート部１３と下前保護部１４との境界が下前保護部１４の下縁まで達していない。ここで、他の実施形態では腹サポート部１３が下前保護部１４の下縁まで達していてもよい。または、腹サポート部１３に加えて下前保護部１４に対してもパワーネットが全面に表打ちされてもよい。しかしながら、これらの構成では、前保護部１１が着用者の動きに沿わず下前保護部１４の下端が体（例えば鼠蹊部）に食い込むおそれがある。このため、腹サポート部１３と下前保護部１４との境界は、下前保護部１４の下縁まで達していない場合の方が達している場合に比べて着心地をよくすることが可能である。
【００１７】
脇保護部１５は、着用者の左右の両脇腹から臀部までを保護することが可能な部分である。脇保護部１５は、上前保護部１２と同様に伸縮性の高い柔らかい生地で構成される。一方、腰サポート部１６は、腹サポート部１３と同様にパワーネット（他の素材でもよい）が全面に裏打ちされている。このため、腰サポート部１６の方が脇保護部１５よりも伸びた場合に戻るときの力が強い。これにより、腰サポート部１６により着用者の腰を引き締めながらサポートすることが可能である（図２（Ａ）参照）。
【００１８】
図１に例示するように、本実施形態では、脇保護部１５の手前側に腰サポート部１６が重なる。本実施形態の腰サポート部１６は、脇保護部１５の上端よりも下側から、脇保護部１５の下端よりも上側までの間に設けられる。
【００１９】
本実施形態において腰サポート部１６は、腹サポート部１３の左端部（すなわち辺ＡＢ）から妊産婦用下半身衣類１の後ろ側を通って腹サポート部１３の右左端部（すなわち辺ＣＤ）まで一体的に設けられる。なお、「一体的」は連続していればよく、途中で生地が接いであるものを含む概念である。腰サポート部１６の下端部（すなわち辺ＢＦＤ）は水平方向に延びる。これにより、腰サポート部１６を着用者の腰に対して水平に沿わすことが可能である。
【００２０】
図１（Ａ）に例示するように、本実施形態では、腰サポート部１６は辺ＡＢと辺ＣＤと後ろ中心（具体的には辺ＥＦ：図１（Ｂ）参照）とで本体部１０に固定される。腰サポート部１６は辺ＡＢ、辺ＣＤ、及び辺ＥＦ以外では本体部１０に固定されていない。すなわち、腰サポート部１６は前身頃と後身頃との境界付近（以下、「妊産婦用下半身衣類１の横側」と記載する。）では本体部１０に固定されていない。このため、図２（Ｂ）に例示するように、着用者は腰サポート部１６を手で引っ張って体に接する位置を上下に調節できる。このように、本実施形態では腰サポート部１６の全面が本体部１０に固定されている構成と比べて腰サポート部１６の位置の自由度を大きくできる。これにより、着心地をよくすることが可能である。また、腰サポート部１６は、妊産婦用下半身衣類１の前側と後ろ側とで固定されているので、腰サポート部１６が腰からずれることを効果的に防止することが可能である。なお、上述したように腹サポート部１３は周部分において本体部１０に固定される。このため、腰サポート部１６を着用者が手で引っ張っても、腹サポート部１３が本体部１０からずり上がることを防止することが可能である（図２（Ｂ）参照）。
【００２１】
図１（Ａ）に例示するように、本実施形態の腰サポート部１６は、上腰サポート部１６ａと中腰サポート部１６ｂと下腰サポート部１６ｃとを備える。上腰サポート部１６ａは、腰サポート部１６のうちの上の部分である。下腰サポート部１６ｃは、腰サポート部１６のうちの下の部分である。中腰サポート部１６ｂは、上腰サポート部１６ａと下腰サポート部１６ｃとの間にある。
【００２２】
本実施形態では、腰サポート部１６は、１枚のパワーネットを挟み込むように表地を折り返して縫製することにより上下を端始末している。本実施形態においては腰サポート部１６のうち、上腰サポート部１６ａ及び下腰サポート部１６ｃは表地が２枚になっている。これにより、上腰サポート部１６ａ及び下腰サポート部１６ｃは、中腰サポート部１６ｂに比べると若干伸びにくい。このため、腰サポート部１６は上端部と下端部とが着用者の身に沿い易い。これにより、妊産婦用下半身衣類１に対して外着を重ねて着用した場合に、腰サポート部１６が外着とすれて捲れることを効果的に防止することが可能である。なお、他の実施形態では、端始末が必要ない素材（例えばヘム素材）を用いて腰サポート部１６を構成してもよい。
【００２３】
図１（Ａ）及び（Ｂ）に例示するように、本実施形態のウエスト部２０は環状に形成される。ウエスト部２０は、妊産婦用下半身衣類１の前側にある前側部２１と、前側部２１に連続する上端サポート部２２とを備える。具体的には、前側部２１の一端Ｌ１は上端サポート部２２の一端Ｌ２と連続する（図１（Ａ）参照）。また、前側部２１の他端Ｒ１は上端サポート部２２の他端Ｒ２と連続する。Ｌ１とＬ２との境界は上前保護部１２の左端と脇保護部１５との境界に続く。Ｒ１とＲ２との境界は上前保護部１２の右端と脇保護部１５との境界に続く。
【００２４】
前側部２１は、着用者の腹部の前側を保護することが可能な部分である。前側部２１は、上前保護部１２と同様に伸縮性の高い柔らかい生地で構成される。一方、上端サポート部２２は、腹サポート部１３と同様にパワーネット（他の素材でもよい）が全面に裏打ちされている。このため、上端サポート部２２の方が前側部２１よりも伸びた場合に戻るときの力が強い。本実施形態では前側部２１と上端サポート部２２との境界が妊産婦用下半身衣類１の前側にある。これにより、妊産婦用下半身衣類１の上端が着用者の腹部に食い込むことを抑制しつつ着用者の腸骨を両脇と後ろからサポートすることが可能である。
【００２５】
［変形例］
なお、他の実施形態では、腹サポート部１３がパワーネットを備えなくてもよい。また、他の実施形態では、ウエスト部２０はパワーネットを備えなくてもよい。また、他の実施形態では、伸縮性が低い素材（例えばゴム）を用いて腹サポート部１３、腰サポート部１６、及び上端サポート部２２を形成してもよい。
【００２６】
また、他の実施形態では、腹サポート部１３は、前保護部１１の上端から下に向かって設けられてもよい。
【００２７】
また、他の実施形態では、腰サポート部１６の上端は上端サポート部２２の左右両端部に固定されてもよい。
【００２８】
また、他の実施形態では、前側部２１と上端サポート部２２との境界は妊産婦用下半身衣類１の横側でもよいし後ろ側でもよい。このような構成の場合、上記境界が前側にある場合と比べてウエスト部２０の腹部への食い込みを軽減することが可能である。
【００２９】
また、他の実施形態では、妊産婦用下半身衣類１は、各構成部分のうちの何れか２以上のパーツが一体成型されてもよい。例えば、生地の編み方を切り替えることにより、前保護部１１が一体成型されてもよい。
【００３０】
本考案の妊産婦用下半身衣類１は、種々の態様が可能である。例えば、クロッチ部１７と開口部１８とを備えない腹巻型の妊婦帯、ズボン型の妊婦帯、スポーツ衣類、外着用の妊産婦用下半身衣類（例えば、ズボン、スカート）など、各種の妊産婦用下半身衣類に適用できる。また、上述した構成は単なる一例であり、本考案は、上記実施形態に限定されず、様々な変形および応用が可能である。また、上記実施形態および変形例は互いに適用可能であり、様々な組み合わせで本考案が実現されてもよい。
【符号の説明】
【００３１】
１    妊産婦用下半身衣類
１０  本体部
１１  前保護部
１２  上前保護部
１３  腹サポート部
１４  下前保護部
１５  脇保護部
１６  腰サポート部
１６ａ  上腰サポート部
１６ｂ  中腰サポート部
１６ｃ  下腰サポート部
１７  クロッチ部
１８  開口部
２０  ウエスト部
２１  前側部
２２  上端サポート部
【図１】
0003220599.tif 000003
【図２】
0003220599.tif 000004